(57)【特許請求の範囲】
【請求項１】
希望信号に近接するとともに、この希望信号より高いレベルの妨害信号を有する高周波信号を受信する高周波信号受信装置であって、前記高周波信号が入力される入力端子と、この入力端子に入力された前記高周波信号が供給されるＡＧＣ回路と、このＡＧＣ回路の出力が一方の入力に供給されるとともに他方の入力には局部発振回路の出力が供給される混合回路と、この混合回路の出力が供給されるとともに前記希望信号の中間周波数の信号を通過させる第１のフィルタと、この第１のフィルタの出力が供給される出力端子と、前記混合回路の出力が供給されるとともに前記混合回路の出力信号に対して、少なくとも上側隣接信号の最も希望信号に近接する周波数と下側隣接信号の最も希望信号に近接する周波数を非通過帯域とする第３のフィルタと、この第３のフィルタの出力と前記ＡＧＣ回路の制御端子との間に接続されたＡＧＣ制御回路とを有する高周波信号受信装置。
【請求項２】
第３のフィルタとＡＧＣ制御回路との間に設けられた第１の増幅器と、第１のフィルタの出力と前記ＡＧＣ制御回路との間に設けられた第２の増幅器とを設け、前記第１の増幅器と前記第２の増幅器の増幅度を独立に設定できる重み付け回路を有する請求項１に記載の高周波信号受信装置。
【請求項３】
重み付け回路にデータ入力端子を設け、このデータ入力端子に入力された外部データにより、第１および第２の増幅器の増幅度を独立に可変できるようにした請求項２に記載の高周波信号受信装置。
【請求項４】
請求項１に記載の高周波信号受信装置の出力端子にデジタル復調回路が接続された高周波信号受信装置。
【発明の詳細な説明】
【０００１】
【発明の属する技術分野】
本発明は、希望信号より高いレベルの隣接信号による妨害があっても誤りなく受信できる高周波信号受信装置に関するものである。
【０００２】
【従来の技術】
従来の技術は、放送信号のレベルに応じてＡＧＣ制御をして各回路からの出力信号を一定にし、妨害特性とＳ／Ｎ特性の両立を図るものであった。
【０００３】
以下、従来の高周波信号受信装置の構成について説明する。図９は従来の高周波信号受信装置の一例であり、高周波信号が入力される入力端子７０１と、この入力端子７０１に入力された放送信号が供給されるＡＧＣ回路７０２と、このＡＧＣ回路７０２の出力が一方の入力に供給されるとともに他方の入力には局部発振回路７０３の出力が供給される混合回路７０４と、この混合回路７０４から出力される中間周波数（以下ＩＦという）である希望信号を通過させるフィルタ７０５と、このフィルタ７０５の出力が供給される出力端子７０８と、フィルタ７０５の出力とＡＧＣ回路７０２の制御端子７０７との間に接続されたＡＧＣ制御回路７０６とから構成されていた。
【０００４】
以上のように構成された高周波信号受信装置について以下にその動作を説明する。放送信号が入力端子７０１に入力されると、ＡＧＣ回路７０２で利得制御され、その出力信号が混合回路７０４に入力され、この混合回路７０４では局部発振回路７０３からの信号とでＩＦ信号に変換された後、フィルタ７０５を通って出力端子７０８から出力される。また、このフィルタ７０５の出力信号は、ＡＧＣ制御回路７０６に入力された後、その出力はＡＧＣ制御端子７０７に入力されてＡＧＣ回路７０２の信号出力が一定になるように制御されるものである。
【０００５】
【発明が解決しようとする課題】
しかしながら、このような従来の構成では、例えばサービスエリア内に複数以上の放送局があると、受信する電波レベルの均一でない場所があり、希望信号より隣接信号等による妨害信号のほうが非常に強くなることがある。また、車で移動中に受信するときには希望信号と妨害信号のレベルが時間とともに変化し、妨害信号のほうが強くなる場合が起こる。例えばディジタル音声放送（以下ＤＡＢという）では、希望波より３０ｄＢ大きい隣接チャンネルがある場合でも、正しく受信できることが要求されている。
【０００６】
この時、使用される放送信号は、１．４ＧＨｚ帯のＬＢＡＮＤと２００ＭＨｚのＢＡＮＤＩＩＩを主に用いて放送されており、以下の説明では２００ＭＨｚのＢＡＮＤＩＩＩを受信したときを一例として説明する。
【０００７】
図１０（ａ）では、ＤＡＢ信号の希望信号と隣接信号の一例を表し、帯域幅８０７をもつ希望信号８０２ａと、帯域幅８０８をもつ上側隣接信号８０３ａと、帯域幅８０６をもつ下側隣接信号８０１ａとを示し、各信号の帯域幅８０６および８０７および８０８は１．５３６ＭＨｚ、ガードバンド８０９および８１０は０．１７６ＭＨｚとした場合を示している。この希望信号８０２ａに対して上側隣接信号８０３ａおよび下側隣接信号８０１ａのレベル差８０５ａが共に３０ｄＢ高い場合でも妨害の影響を受けないようにすることが要求されている。ここで、ノイズ領域８０４はノイズのレベルを表している。
【０００８】
図１０（ｂ）では、ＡＧＣ制御回路７０６で制御される前の出力端子７０８からのＩＦである希望信号と隣接信号を示している。フィルタ７０５によって上側隣接信号８０３ｂおよび下側隣接信号８０１ｂは、希望信号８０２ｂより離れた部分がフィルタ７０５により６ｄＢＭＩＮ抑圧されるとして、レベル差８０５ｂは３０−６＝２４ｄＢとなる。
【０００９】
図１０（ｃ）では、ＡＧＣ制御回路７０６で制御された後の出力端子７０８からのＩＦ信号である希望信号と隣接信号を示す。図１０（ｂ）に示すレベル差８０５ｂが２４ｄＢの信号がＡＧＣ制御回路７０６に入力されて制御端子を介してＡＧＣ回路７０２を制御することになる。その結果、このＡＧＣ回路７０２では、強いレベルである上側隣接信号８０３ｂおよび下側隣接信号８０１ｂも含めて出力端子９０８からのレベルが一定になるように制御されるので、図１０（ｃ）に示すようにレベル差８０５ｃまでもレベル差８０５ｂと同じ２４ｄＢとなって希望信号８０２ｃは極端に小さなレベルとなってしまう。そうするとノイズ領域８０４に近くなってＣ／Ｎが劣化してしまい、正しく音声が受信できなくなってしまうという問題があった。なお、図１０の（ｂ）と（ｃ）の信号は、混合回路７０４を通った後なので、図１０の（ａ）と比べて上側隣接信号と下側隣接信号の関係が逆になっている。
【００１０】
本発明は、このような問題点を解決するもので、高いレベルの隣接チャンネル等による妨害信号の影響を抑えるようにＡＧＣ回路での設定を可能とした高周波信号受信装置を提供することを目的としたものである。
【００１１】
【課題を解決するための手段】
この目的を達成するために本発明の高周波信号受信装置は、希望信号に近接するとともに、この希望信号より高いレベルの妨害信号を有する高周波信号を受信する高周波信号受信装置であって、前記高周波信号が入力される入力端子と、この入力端子に入力された前記高周波信号が供給されるＡＧＣ回路と、このＡＧＣ回路の出力が一方の入力に供給されるとともに他方の入力には局部発振回路の出力が供給される混合回路と、この混合回路の出力が供給されるとともに前記希望信号の中間周波数の信号を通過させる第１のフィルタと、この第１のフィルタの出力が供給される出力端子と、前記混合回路の出力が供給されるとともに前記混合回路の出力信号に対して、少なくとも上側隣接信号の最も希望信号に近接する周波数と下側隣接信号の最も希望信号に近接する周波数を非通過帯域とする第３のフィルタと、この第３のフィルタの出力と前記ＡＧＣ回路の制御端子との間に接続されたＡＧＣ制御回路とを有するものである。
【００１２】
これにより、高いレベルの隣接チャンネル等の妨害信号があったとしても誤りのない受信が可能となる。
【００１３】
【発明の実施の形態】
本発明の請求項１に記載の発明は、希望信号に近接するとともに、この希望信号より高いレベルの妨害信号を有する高周波信号を受信する高周波信号受信装置であって、前記高周波信号が入力される入力端子と、この入力端子に入力された前記高周波信号が供給されるＡＧＣ回路と、このＡＧＣ回路の出力が一方の入力に供給されるとともに他方の入力には局部発振回路の出力が供給される混合回路と、この混合回路の出力が供給されるとともに前記希望信号の中間周波数の信号を通過させる第１のフィルタと、この第１のフィルタの出力が供給される出力端子と、前記混合回路の出力が供給されるとともに前記混合回路の出力信号に対して、少なくとも上側隣接信号の最も希望信号に近接する周波数と下側隣接信号の最も希望信号に近接する周波数を非通過帯域とする第３のフィルタと、この第３のフィルタの出力と前記ＡＧＣ回路の制御端子との間に接続されたＡＧＣ制御回路とを有する高周波信号受信装置としたものである。
【００１５】
これにより、希望信号に対して最も周波数の近接する隣接信号成分に効果的に抑圧できるもので、出力端子からの希望信号は適切なレベルとなってＣ／Ｎの劣化がなく、誤りの少ない高周波信号受信装置が実現できる。
【００１６】
請求項２に記載の発明は、第３のフィルタとＡＧＣ制御回路との間に設けられた第１の増幅器と、混合器の出力と前記ＡＧＣ制御回路との間に設けられた第２の増幅器とを設け、前記第１の増幅器と前記第２の増幅器の増幅度を独立に設定できる重み付け回路を有する請求項１に記載の高周波信号受信装置であって、希望信号と妨害信号との比を例えば混合回路への入力レベルを妨害特性に対して最適な値に自由に設定することができるので、より精度よく誤りの少ない高周波信号受信装置が実現できる。
【００１７】
請求項３に記載の発明は、重み付け回路にデータ入力端子を設け、このデータ入力端子に入力された外部データにより、第１および第２の増幅器の増幅度を独立に可変することができるようにした請求項２に記載の高周波信号受信装置であり、外部データにより設定を可変できるので、より細かくまた状況に応じて随時設定できるので、さらにより誤りの少ない高周波信号受信装置が実現できる。
【００１８】
請求項４に記載の発明は、請求項１に記載の高周波信号受信装置の出力端子にデジタル復調回路が接続された高周波信号受信装置であり、隣接チャンネル等の妨害信号の影響を大幅に抑えることができ誤りの少ないデジタル復調を可能とした高周波信号受信装置が実現できる。
【００１９】
（実施の形態１）
図１は本発明の実施の形態１を示している。本発明の高周波信号受信装置は、希望信号に近接するとともに、この希望信号より高いレベルの妨害信号を有する高周波信号を受信するものであって、図１に示すように高周波信号が入力される入力端子１０１と、この入力端子１０１に入力された放送信号が供給されるＡＧＣ回路１０２と、このＡＧＣ回路１０２の出力が一方の入力に供給されるとともに他方の入力には局部発振回路１０３の出力が供給される混合回路１０４と、この混合回路１０４の出力が供給されるとともに、この混合回路１０４から出力される希望信号の変調搬送波を含む信号を通過させるように中心周波数と帯域幅をもつ第１のフィルタ１０５と、この第１のフィルタ１０５の出力が供給される出力端子１０９と、第１のフィルタ１０５の出力が供給されるとともに帯域幅の０．７倍以下の狭い帯域幅を有する第２のフィルタ１０８と、この第２のフィルタ１０８の出力とＡＧＣ回路１０２の制御端子１０７との間に接続されたＡＧＣ制御回路１０６とから構成される。
【００２０】
以上のように構成された高周波信号受信装置について、以下にその動作を図１および図２（ａ），（ｂ）、図３（ｃ），（ｄ）を用いて説明する。
【００２１】
図２（ａ）では、ＤＡＢ信号の希望信号と隣接信号の一例を表し、帯域幅２０７をもつ希望信号２０２ａと、帯域幅２０８をもつ上側隣接信号２０３ａと、帯域幅２０６をもつ下側隣接信号２０１ａとを示し、各信号の帯域幅２０６および２０７および２０８は１．５３６ＭＨｚ、ガードバンド２０９および２１０は０．１７６ＭＨｚとした場合を示している。この希望信号２０２ａに対して上側隣接信号２０３ａおよび下側隣接信号２０１ａとが共にレベル差２０５ａが希望信号２０２ａに対して３０ｄＢ高い場合でも妨害の影響を受けないようにすることが要求されている。ここで、ノイズ領域２０４はノイズのレベルを表している。
【００２２】
図２（ｂ）では、図２（ａ）のＤＡＢ信号が入力端子１０１より入った直後の、出力端子１０９からのＩＦである希望信号と隣接信号の様子を示している。
【００２３】
図２（ａ）で示す放送信号が入力端子１０１に入力されると、ＡＧＣ回路１０２で利得制御され、その信号は次の混合回路１０４に入力される。この混合回路１０４では局部発振回路１０３からの信号とで例えば３８．９ＭＨｚのＩＦ信号に変換された後、第１のフィルタ１０５を通って希望信号以外の信号がある程度除去された後、出力端子１０９から図２（ｂ）の信号が出力される。この図２（ｂ）において、希望信号２０２ｂに対して上側隣接妨害信号２０３ｂと下側隣接信号２０１ｂはそれぞれ第１のフィルタ１０５によって６ｄＢＭＩＮ抑圧されるとして、レベル差２０５ｂは３０−６＝２４ｄＢとした状態を示している。
【００２４】
図３（ｃ）では、図２（ａ）のＤＡＢ信号が入力端子１０１より入った後の、ＡＧＣ制御回路１０６に入力されるＩＦである希望信号と隣接信号を示している。
【００２５】
図２（ｂ）に示す出力端子１０９からの希望信号２０２ｂは、帯域幅の０．７倍以下の狭い帯域幅を有する第２のフィルタ１０８により帯域制限を受けるので、ＡＧＣ制御回路１０６への入力信号は、図３（ｃ）に示すように帯域幅２０７ｃが１ＭＨｚ以下となった希望信号２０２ｃとなる。同様に、図２（ｂ）の上側隣接信号２０３ｂおよび下側隣接信号２０１ｂについても第２のフィルタ１０８で抑圧されて図３（ｃ）に示すようにそれぞれ上側隣接信号２０３ｃおよび下側隣接信号２０１ｃとなり、この希望信号２０２ｃと上側隣接信号２０３ｃおよび下側隣接信号２０１ｃとのレベル差２０５ｃは小さくなる。
【００２６】
図３（ｄ）では、図２（ａ）のＤＡＢ信号が入力端子１０１より入った後の、ＡＧＣ制御回路１０６が働いた後の出力端子１０９からのＩＦである希望信号と隣接信号を示している。
【００２７】
図３（ｃ）の信号がＡＧＣ制御回路１０２の制御端子１０７に入力されるとＡＧＣ回路１０２の動作は、希望信号２０２ｃと第２のフィルタ１０８によって抑圧された上側隣接信号２０３ｃと下側隣接信号２０１ｃとの信号に対して作用するので、出力端子１０９からのＩＦ出力信号は図３（ｄ）に示すように、上側隣接信号２０３ｄおよび下側隣接信号２０１ｄは第１のフィルタ１０５によって抑圧されてレベル差２０５ｄは２５ｄＢであるが、希望信号２０２ｄは従来例に比較して小さいレベルにならないのでＣ／Ｎが劣化せず、隣接チャンネル等の妨害信号の抑圧された信号を出力できるので、誤りのない受信を可能とするものである。
【００２８】
（実施の形態２）
図４は本発明の実施の形態２による高周波信号受信装置を示している。
【００２９】
図４は、図１の第２のフィルタ１０８にトラップ形式のフィルタを用いた場合を示している。なお、実施の形態１と同じものについては同符号を付けて説明を簡略化している。
【００３０】
この第３のフィルタには、出力端子１０９のＩＦ出力信号に対して、少なくとも上側隣接信号の最も希望信号に近接する周波数３０１と下側隣接信号の最も希望信号に近接する周波数３０２に非通過帯域を持つフィルタであり、希望信号に対して最も周波数の近接する隣接信号成分に効果的に抑圧できるもので、実施の形態１と同様の効果を得ることができ、出力端子からの希望信号は適切なレベルとなってＣ／Ｎの劣化がなく、誤りの少ない高周波信号受信装置が実現できる。
【００３１】
なお、この実施の形態２の発明は、後述する実施の形態３あるいは４にも適用できる。
【００３２】
（実施の形態３）
図５は本発明の実施の形態３による高周波信号受信装置を示している。
【００３３】
図５において、実施の形態１と同じものについては同符号を付けて説明を簡略化している。第２のフィルタ１０８とＡＧＣ制御回路１０６との間に第１の増幅器４０２を追加し、第１のフィルタ１０５の出力とＡＧＣ制御回路１０６との間に第２の増幅器４０３を追加した構成としている。重み付け回路４０１は、第１の増幅器４０２と第２の増幅器４０３とからなり、第１の増幅器４０２の増幅度と第２の増幅器４０３の増幅度との比を設定することにより、それぞれ第２のフィルタ１０８の出力レベルと第１のフィルタ１０５の出力レベルとの比を設定できるように構成している。
【００３４】
以上のように構成された高周波信号受信装置について、以下にその動作を図５と図６（ａ），（ｂ）、図７（ｃ），（ｄ）を用いて説明する。
【００３５】
図６（ａ）では、ＤＡＢ信号の希望信号と隣接信号の一例を表し、帯域幅５０７をもつ希望信号５０２ａと帯域幅５０８をもつ上側隣接信号５０３ａと帯域幅５０６をもつ下側隣接信号５０１ａとを示し、各信号の帯域幅５０６および５０７および５０８は１．５３６ＭＨｚ、ガードバンド５０９および５１０は０．１７６ＭＨｚとした場合を示している。この希望信号５０２ａに対して上側隣接信号５０３ａおよび下側隣接信号５０１ａとが共にレベル差５０５ａが３０ｄＢ高い場合でも妨害の影響を受けないようにすることが要求されている。ここで、ノイズ領域５０４はノイズのレベルを表している。
【００３６】
図６（ｂ）では、図６（ａ）のＤＡＢ信号が入力端子１０１より入った直後の、出力端子１０９からのＩＦである希望信号と隣接信号の様子を示している。図６（ａ）で示す放送信号が入力端子１０１に入力されると、ＡＧＣ回路１０２で利得制御され、その出力信号が混合回路１０４に入力され、この混合回路１０４では局部発振回路１０３からの信号とで例えば３８．９ＭＨｚのＩＦ信号に変換された後、第１のフィルタ１０５を通って希望信号以外の信号がある程度除去された後、出力端子１０９から図６（ｂ）の信号が出力される。この図６（ｂ）において、希望信号５０２ｂに対して上側隣接妨害信号５０３ｂと下側隣接信号５０１ｂはそれぞれ第１のフィルタ１０５によって６ｄＢＭＩＮ抑圧されるとして、レベル差５０５ｂは３０−６＝２４ｄＢとした状態を示している。
【００３７】
図７（ｃ）では、ＡＧＣ制御回路１０６に入力されるＩＦである希望信号と隣接信号を示している。第１のフィルタ１０５の出力信号である希望信号５０２ｂおよび上側隣接信号５０１ｂおよび下側隣接妨害５０３ｂは、重み付け回路４０１の増幅器４０３に入力される。また、第１のフィルタ１０５の出力信号である希望信号５０２ｂおよび上側隣接信号５０１ｂおよび下側隣接妨害５０３ｂは、帯域幅の０．７倍以下の狭い帯域幅を有する第２のフィルタ１０８により妨害信号の抑圧された信号が重み付け回路４０１の第１の増幅器４０２に入力される。第１の増幅器４０２での増幅率をＡ、第２の増幅器４０３での増幅率をＢとすると、Ａ／Ｂの設定によって希望信号５０２ｃと上側隣接信号５０３ｃおよび下側隣接信号５０１ｃとのレベル差５０５ｃの設定を変えることができる。たとえば、第２の増幅器４０３での増幅率Ｂを大きくすると、レベル差５０５ｃを大きくできる。
【００３８】
図７（ｄ）では、図７（ｃ）のＤＡＢ信号がＡＧＣ制御回路１０６に入った後の、出力端子１０９からのＩＦである希望信号と隣接信号の様子を示している。出力端子１０９からのＩＦである希望信号５０２ｄと上側隣接信号５０３ｄおよび下側隣接妨害５０１ｄとのレベル差５０５ｄは、実施の形態１と同じレベルであるが、希望信号５０２ｄおよび上側隣接信号５０３ｄおよび下側隣接妨害５０１ｄのレベルを全体に下げることができ、主に妨害特性を決めている混合回路１０４への入力レベルを小さくして妨害特性に強い設定にできる。これにより、妨害特性をさらに改善できるものである。
【００３９】
（実施の形態４）
図８は本発明の実施の形態４を示している。図８において、実施の形態３である図５と同じ構成の記号１０１から１０８および４０１から４０３については説明を省略し、重み付け回路４０１を制御する重み付け制御回路６０１と、この重み付け制御回路６０１に接続されたデータ入力端子６０２を追加して構成されたものである。
【００４０】
以上のように構成された高周波信号受信装置について、以下にその動作について説明する。図８に示すように、データ入力端子６０２に入力された外部データは重み付け制御回路６０１からの制御信号によって、重み付け回路４０１を構成する第１の増幅器４０２の増幅率Ａ、第２の増幅器４０３の増幅率Ｂを独立に制御できる。このように、外部からのデータにより妨害信号のＡＧＣ制御回路１０６への寄与度を変えて、図７（ｄ）に示す希望信号５０２ｄおよび上側隣接信号５０３ｄおよび下側隣接妨害５０１ｄのレベルを全体に下げることができるので、主に妨害特性を決めている混合回路１０４への入力レベルを小さくして妨害特性に強い設定にでき、刻々と変わる移動体通信などの外部の電波条件に適切に追随することができる。
【００４１】
なお、実施の形態１から４に示した高周波信号受信装置の出力端子１０９にデジタル復調回路を接続することにより、全体として誤りの少ない高周波信号受信装置が可能となる。
【００４２】
【発明の効果】
以上のように本発明は、混合回路の出力信号に対して少なくとも上側隣接信号の最も希望信号に近接する周波数と下側隣接信号の最も希望信号に近接する周波数を非通過帯域とする第３のフィルタをＡＧＣ制御回路の前段に設けることにより、ＡＧＣ回路は希望信号と抑圧された隣接信号でＡＧＣ制御されることになり、出力端子からの希望信号は、小さいレベルにならないのでＣ／Ｎが劣化せず、誤りの少ない受信を可能とするものである。
【図面の簡単な説明】
【図１】本発明の実施の形態１における高周波信号受信装置のブロック図
【図２】（ａ）は、同、高周波信号受信装置の入力端子に入るＤＡＢ信号の一例を表す説明図
（ｂ）は、同、高周波信号受信装置の出力端子からのＩＦ信号を表す説明図
【図３】（ｃ）は、同、高周波信号受信装置のＡＧＣ制御回路へのＩＦ信号を表す説明図（ｄ）は、同、高周波信号受信装置のＡＧＣ制御回路によってＡＧＣ回路が制御された後の出力端子からのＩＦ信号を表す説明図
【図４】本発明の実施の形態２における第３のフィルタの説明図
【図５】本発明の実施の形態３における高周波信号受信装置のブロック図
【図６】（ａ）は、同、高周波信号受信装置の入力端子に入るＤＡＢ信号の一例を表す説明図
（ｂ）は、同、高周波信号受信装置の出力端子からのＩＦ信号を表す説明図
【図７】（ｃ）は、同、高周波信号受信装置のＡＧＣ制御回路へのＩＦ信号を表す説明図
（ｄ）は、同、高周波信号受信装置のＡＧＣ制御回路によってＡＧＣ回路が制御された後の出力端子からのＩＦ信号を表す説明図
【図８】本発明の実施の形態４における高周波信号受信装置のブロック図
【図９】従来の高周波信号受信装置のブロック図
【図１０】（ａ）は、同、高周波信号受信装置の入力端子に入るＤＡＢ信号の一例を表す説明図
（ｂ）は、同、高周波信号受信装置の出力端子からのＩＦ信号を表す説明図
（ｃ）は、同、高周波信号受信装置のＡＧＣ制御回路によってＡＧＣ回路が制御された後の出力端子からのＩＦ信号を表す説明図
【符号の説明】
１０１  入力端子
１０２  ＡＧＣ回路
１０３  局部発振回路
１０４  混合回路
１０５  第１のフィルタ
１０６  ＡＧＣ制御回路
１０７  制御端子
１０８  第２のフィルタ
１０９  出力端子
【図１】
0003620379.tif 000002
【図２】
0003620379.tif 000003
【図３】
0003620379.tif 000004
【図４】
0003620379.tif 000005
【図５】
0003620379.tif 000006
【図６】
0003620379.tif 000007
【図７】
0003620379.tif 000008
【図８】
0003620379.tif 000009
【図９】
0003620379.tif 000010
【図１０】
0003620379.tif 000011